(57)【要約】【課題】使い勝手の向上を図る。【解決手段】本体１０、キャップ２０の各先端に選択的に取り付けるクリップ３０、印判体５０を組み合わせる。【選択図】図１
0003103416.tif 000002
【実用新案登録請求の範囲】
【請求項１】
電子部品等を収容する本体と、該本体に着脱自在に組み合わせるキャップと、前記本体、キャップの各先端に選択的に取り付けるクリップ、印判体とを備えてなる携帯用ケース。
【請求項２】
前記クリップは、前記本体、キャップの各表面側、裏面側のいずれかに選択的に配置可能であることを特徴とする請求項１記載の携帯用ケース。
【請求項３】
前記クリップは、前記本体、キャップの幅方向の中央に位置決め可能であることを特徴とする請求項１または請求項２記載の携帯用ケース。
【請求項４】
前記本体、キャップの各先端には、両端開放の取付溝を形成し、前記クリップ、印判体は、それぞれ前記取付溝に挿入する横向きの取付ロッドを有することを特徴とする請求項１ないし請求項３のいずれか記載の携帯用ケース。
【請求項５】
前記クリップ、印判体は、それぞれ前記本体またはキャップを厚さ方向に挟み込む上下のガイドを有することを特徴とする請求項１ないし請求項４のいずれか記載の携帯用ケース。
【請求項６】
前記本体、キャップの各先端には、両端開放の取付溝を形成し、前記クリップ、印判体は、それぞれ前記取付溝に挿入する横向きの取付ロッドと、前記本体またはキャップを厚さ方向に挟み込む上下のガイドと、該ガイドを上下に連結して前記取付ロッドを支持する支持部とを有することを特徴とする請求項１ないし請求項３のいずれか記載の携帯用ケース。
【請求項７】
前記支持部の前面には、上下に鈍角に開く斜めのガイド面を形成し、前記本体、キャップには、それぞれ前記ガイド面を収納する係合斜面を形成することを特徴とする請求項６記載の携帯用ケース。
【請求項８】
前記クリップは、前記ガイドを上下に連結する補助連結部を前記支持部の背面側に有することを特徴とする請求項６または請求項７記載の携帯用ケース。
【考案の詳細な説明】
【技術分野】
【０００１】
この考案は、パーソナルコンピュータの携帯用メモリ素子などを便利に携帯するための携帯用ケースに関する。
【背景技術】
【０００２】
パーソナルコンピュータの携帯用メモリ素子などを含む小形の電子部品や電子機器等（以下、単に電子部品等という）は、それを携帯して持ち歩くために、専用の携帯用ケースに収容されている。
【０００３】
従来の携帯用ケースは、たとえば着脱自在に組み合わせる本体とキャップとから構成され、本体またはキャップに対し、キーホルダやストラップを取り付ける取付孔が形成されている。そこで、このものは、電子部品等を本体に収容してキャップを装着し、取付孔を利用して取り付けるキーホルダやストラップを介して自在に携帯して持ち歩くことができる。
【考案の開示】
【考案が解決しようとする課題】
【０００４】
かかる従来技術によるときは、キーホルダやストラップを取り付ける取付孔をキャップに設けると、持ち歩いている間に本体がキャップから抜け落ちてしまい、本体を紛失してしまうというおそれが避けられない。一方、取付孔を本体に設けると、本体の紛失を防止することができるが、本体内の電子部品等を使用する時にキーホルダやストラップが邪魔になり、使い勝手がよくないという問題があった。加えて、従来の携帯用ケースは、所有者の表示部分が存在しないため、たとえば事務所などで複数の人が同一形式の携帯用ケースを使用していると、所有者の特定に不便を生じることが少なくないという問題もあった。
【０００５】
そこで、この考案の目的は、かかる従来技術の問題に鑑み、本体、キャップの各先端に選択的にクリップ、印判体を取り付けることによって、持ち歩き中に本体を紛失したり、使用中の支障を生じたり、所有者の特定に支障を来たしたりすることがない携帯用ケースを提供することにある。
【課題を解決するための手段】
【０００６】
かかる目的を達成するためのこの考案の構成は、電子部品等を収容する本体と、本体に着脱自在に組み合わせるキャップと、本体、キャップの各先端に選択的に取り付けるクリップ、印判体とを備えることをその要旨とする。ただし、ここでいう印判体とは、所有者を特定するための姓、名、またはそれらに代わり得る文字、記号、模様などを表示する浸透印形式の印判体をいう。
【０００７】
なお、クリップは、本体、キャップの各表面側、裏面側のいずれかに選択的に配置可能としてもよく、本体、キャップの幅方向の中央に位置決め可能としてもよい。
【０００８】
また、本体、キャップの各先端には、両端開放の取付溝を形成し、クリップ、印判体は、それぞれ取付溝に挿入する横向きの取付ロッドを有することができ、クリップ、印判体は、本体またはキャップを厚さ方向に挟み込む上下のガイドを有することができる。
【０００９】
なお、本体、キャップの各先端には、両端開放の取付溝を形成し、クリップ、印判体は、それぞれ取付溝に挿入する横向きの取付ロッドと、本体またはキャップを厚さ方向に挟み込む上下のガイドと、ガイドを上下に連結して取付ロッドを支持する支持部とを有することができ、支持部の前面には、上下に鈍角に開く斜めのガイド面を形成し、本体、キャップには、それぞれガイド面を収納する係合斜面を形成することができ、さらに、クリップは、ガイドを上下に連結する補助連結部を支持部の背面側に有することができる。
【考案の効果】
【００１０】
かかる考案の構成によるときは、クリップ、印判体は、それぞれ本体、キャップの各先端に選択的に取り付けることにより、必要に応じて使い分けることができる。たとえば、クリップを本体側に取り付け、印判体をキャップ側に取り付けることにより、本体を紛失したり、キャップの所有者が不明になったりするおそれがなく、クリップ、印判体を逆に取り付けることにより、本体内の電子部品等の使用中にクリップが邪魔になったり、本体の所有者が不明になったりするおそれもない。また、いずれの取付形態であっても、印判体を使用して所有者の捺印動作が可能である。なお、クリップ、印判体は、それぞれ本体、キャップのいずれにも取り付けることなく、別部材として保管することもできる。
【００１１】
クリップは、本体、キャップの各表面側、裏面側のいずれかに選択的に配置可能とすることにより、表面側、裏面側のいずれにも任意に付け替えることができ、一層便利に使用することができる。また、クリップは、本体、キャップの幅方向の中央に位置決め可能とすることにより、取付作業を簡単にし、良好な外観体裁を実現することができる。
【００１２】
取付ロッドを有するクリップ、印判体は、それぞれ本体、キャップの各先端の取付溝に取付ロッドを挿入することにより、本体、キャップに対し、極めて簡単に着脱することができる。なお、両端開放の取付溝は、取付ロッドの挿入方向、抜去方向を自在に選択可能である。
【００１３】
上下のガイドを有するクリップ、印判体は、それぞれガイドを介して本体またはキャップを厚さ方向に挟み込み、一層良好な外観体裁を実現し、本体、キャップに対する取付強度を向上する。
【００１４】
クリップ、印判体の支持部は、それぞれのガイドを上下に連結するとともに、取付ロッドを支持する。なお、支持部の前面に形成する上下のガイド面は、本体、キャップに形成する係合斜面に収納され、クリップまたは印判体を安定に位置決めして外れ止めする。また、クリップの支持部の背面側に形成する補助連結部は、支持部の弾発力を大きくしてクリップの取付強度を高めるとともに、クリップの全体体裁を整えることができる。
【考案を実施するための最良の形態】
【００１５】
以下、図面を以って考案の実施の形態を説明する。
【００１６】
携帯用ケースは、着脱自在に組み合わせる本体１０、キャップ２０の各先端に対し、クリップ３０、印判体５０を選択的に取り付けてなる（図１）。すなわち、クリップ３０、印判体５０は、図１に拘らず、それぞれキャップ２０、本体１０の各先端にも取付可能である。ただし、図１（Ａ）、（Ｂ）は、それぞれ全体斜視図、一部分解斜視図である。
【００１７】
本体１０は、上部材１１、下部材１２を一体に組み立てることにより、図示しない電子部品等を収容するケース体を形成している（図２）。ただし、図２（Ａ）、（Ｂ）は、それぞれ本体１０、キャップ２０の組合せ状態を示す分解斜視図、裏面図である。
【００１８】
本体１０の上部材１１、下部材１２の一端には、キャップ２０に挿入する突出部１１ａ、１２ａが形成されている。また、突出部１１ａ、１２ａの先端には、本体１０内の電子部品等を図示しないパーソナルコンピュータなどに接続するコネクタ１３が突設されている。ただし、上部材１１の表面側は、低い位置決め用の突部１４を介して突出部１１ａとの間に段差１１ｂが形成され、下部材１２の突出部１２ａは、上部材１１の段差１１ｂに対応する段差１２ｂを伴うとともに、下部材１２の表面に連続する舌片部１２ｃが付設されている。なお、突出部１１ａ、１２ａには、それぞれ本体１０内の電子部品等の作動を表示する表示窓１５が形成されており、コネクタ１３には、窓１３ａ、１３ａが表面側、裏面側にそれぞれ形成されている。
【００１９】
キャップ２０は、本体１０側のコネクタ１３、突出部１１ａ、１２ａを収納し得る一端開放のケース状に形成されており、本体１０のコネクタ１３側に対して着脱自在に組み合わせることができる。なお、キャップ２０の開放端の表面側には、本体１０側の突部１４に適合する凹部２１が形成されており、裏面側には、舌片部１２ｃに適合する深い凹部２２が形成されている。そこで、キャップ２０は、本体１０側の突部１４、舌片部１２ｃをそれぞれ凹部２１、２２に対応させることにより、本体１０に正しく装着することができる。なお、キャップ２０は、本体１０に正しく装着されると、裏面側の凹部２２の両側に突出する係合突部２２ａ、２２ａが本体１０側の舌片部１２ｃの基部両側に形成されている係合凹部１２ｄ、１２ｄに係合し、軽く抜止めされてロックされる。また、キャップ２０の全体外形形状は、本体１０のそれと滑らかに連続するように整えられている。
【００２０】
クリップ３０は、クリップ片３１と、クリップ片３１の基部側に配置する上下の円板状のガイド３２、３２と、ガイド３２、３２を上下に連結する支持部３３、補助連結部３４と、支持部３３を介して支持する横向きの取付ロッド３５とを備えている（図３）。ただし、図３（Ａ）、（Ｂ）は、全体斜視図、同図（Ｃ）は、同図（Ａ）のＡ−Ａ線矢視断面図である。
【００２１】
クリップ片３１の先端部内面側には、突子３１ａが形成されている。支持部３３の前面側は、上下に鈍角に開く斜めのガイド面３３ａ、３３ａとなっており、取付ロッド３５は、ガイド面３３ａ、３３ａの共通の頂部に対し、スペーサ３５ａを介してガイド面３３ａ、３３ａの前方に支持されている。また、クリップ片３１を付設する上のガイド３２の下面には、補強リブ３２ａが形成されている。上下のガイド３２、３２は、同軸上に互いに平行に配置されており、支持部３３の背面側の補助連結部３４は、ガイド３２、３２とともに、一体の仮想円柱の一部を形成している。また、取付ロッド３５は、ガイド３２、３２の中間において、ガイド３２、３２と平行に、仮想円柱内に配置されている。
【００２２】
本体１０、キャップ２０の各先端には、クリップ３０の取付ロッド３５を挿入し得る両端開放の取付溝４１が本体１０、キャップ２０の幅方向に形成されている（図２（Ａ））。取付溝４１には、本体１０、キャップ２０の各先端側に開口するスリット４１ａが全長に亘って付随しており、本体１０、キャップ２０の各先端中央部には、それぞれの表面側、裏面側からスリット４１ａの先端縁に向けて傾斜する係合斜面４２、４２が形成されている。係合斜面４２、４２の本体１０、キャップ２０の幅方向の長さは、クリップ３０の支持部３３の左右の幅より僅かに大きく、係合斜面４２、４２の傾きは、ガイド面３３ａ、３３ａの傾きに対応している。なお、本体１０、キャップ２０の各先端は、取付溝４１の両端部において、幅方向に丸められている。また、クリップ片３１の長さは、本体１０、キャップ２０のいずれよりも短いものとする。
【００２３】
クリップ３０は、本体１０、キャップ２０の各表面側、裏面側に対し、取付ロッド３５を取付溝４１に挿入することにより、着脱自在に選択的に配置して取り付けることができる（図４、図５）。ただし、図４、図５は、クリップ３０をキャップ２０の表面側に取り付ける場合を代表的に図示している。なお、図５（Ａ）〜（Ｃ）は、それぞれ図４のＸ−Ｘ線、Ｙ−Ｙ線、Ｚ−Ｚ線矢視相当断面図であり、図５（Ａ）〜（Ｃ）において、取付溝４１、スリット４１ａに挿入する取付ロッド３５、スペーサ３５ａは、その符号の表示が省略されている。
【００２４】
クリップ３０は、上下のガイド３２、３２の間にキャップ２０の先端部を横から挿入し、取付ロッド３５、スペーサ３５ａを取付溝４１、スリット４１ａの一端に挿入して（図４のＸ−Ｘ線位置、図５（Ａ））、そのままキャップ２０の幅方向に押し込んで相対移動させることにより（図４の矢印Ｋ1 方向、同図のＹ−Ｙ線位置、図５（Ｂ））、キャップ２０の幅方向の中央に取り付けることができる（図４のＺ−Ｚ線位置、図５（Ｃ））。ただし、図５（Ａ）、（Ｃ）において、クリップ３０の突子３１ａは、キャップ２０の表面に接地しており、ガイド３２、３２は、キャップ２０の先端部を厚さ方向に挟み込んでいる。
【００２５】
なお、図５（Ｂ）において、クリップ３０の斜めのガイド面３３ａ、３３ａは、補強リブ３２ａとともにキャップ２０の先端面によって押し拡げられ、上下のガイド３２、３２、支持部３３、補助連結部３４が軽く弾性変形し、クリップ片３１の突子３１ａがキャップ２０の表面から僅かに浮上する傾向になっている。次に、図５（Ｃ）において、クリップ３０が正しく装着されると、ガイド面３３ａ、３３ａが係合斜面４２、４２に収納され、係合斜面４２、４２の傾きに倣うように復帰するため、クリップ３０は、元の形状に復帰する。なお、このときのクリップ３０は、ガイド面３３ａ、３３ａを含む支持部３３の前面側が係合斜面４２、４２に弾発的に係合して位置決めされ、外れ止めされている。
【００２６】
クリップ３０は、取付時と逆方向にやや強く押すことにより（図４の矢印Ｋ2 方向）、支持部３３、係合斜面４２、４２の係合が外れ、キャップ２０の幅方向に簡単に取り外すことができる。ただし、クリップ３０は、図４に拘らず、キャップ２０の左右のいずれの方向から取り付けてもよく、左右のいずれの方向に取り外してもよい。また、クリップ３０は、キャップ２０の表面側、裏面側のいずれに取り付けてもよく、本体１０の表面側、裏面側のいずれに取り付けてもよい。
【００２７】
印判体５０は、軸方向の頂面に印面５１を有するケース５２に対し、ヒンジ５３を介して開閉蓋５４を付設して構成されている（図１）。印面５１は、いわゆる浸透印であり、連続気孔を有するフォーム体のトップに捺印用の文字等を刻み、ケース５２内の図示しないインキ吸蔵体からのインキを毛細管現象により表面にまで浸出させ、多数回の鮮明な繰返し捺印が可能である。開閉蓋５４は、ヒンジ５３を介して開閉し、捺印時に印面５１を外部に露出させ（図１（Ａ））、不使用時に印面５１をカバーすることができる（同図（Ｂ））。なお、開閉蓋５４の反ヒンジ側には、開閉蓋５４を閉じ状態に保持する簡単なロック５４ａが付設されている。ケース５２、開閉蓋５４の外形は、本体１０、キャップ２０に装着するとき、体裁よく連続するように形成されている。
【００２８】
印判体５０は、本体１０またはキャップ２０の各先端に着脱自在に取り付けるために、横向きの取付ロッド６５、上下のガイド６２、６２、ガイド６２、６２を上下に連結して取付ロッド６５を支持する支持部６３がケース５２の開放基部側に形成されている（図６）。ただし、図６（Ｂ）は、同図（Ａ）のＢ−Ｂ線矢視拡大断面図である。
【００２９】
ケース５２のガイド６２、６２、前面に上下の斜めのガイド面６３ａ、６３ａを形成する支持部６３、スペーサ６５ａを介してガイド面６３ａ、６３ａの共通の頂部に支持する取付ロッド６５は、ガイド６２、６２が本体１０、キャップ２０の幅にほぼ等しい短い庇状に形成され、取付ロッド６５が本体１０、キャップ２０の幅より僅かに短く形成されており、一方のガイド６２に補強リブ３２ａ相当の部材がない点、支持部６３の後方に補助連結部３４相当の部材がない点を除き、クリップ３０のガイド３２、３２、ガイド面３３ａ、３３ａ付きの支持部３３、スペーサ３５ａを介して支持する取付ロッド３５に対し、それぞれ形状、寸法が対応するように形成されている。
【００３０】
そこで、印判体５０は、取付ロッド６５、スペーサ６５ａを本体１０またはキャップ２０の先端の取付溝４１、スリット４１ａに横から挿入し、上下のガイド６２、６２、支持部６３を一時的に弾性変形させてガイド面６３ａ、６３ａを係合斜面４２、４２に収納し、支持部６３を係合斜面４２、４２に係合させることにより、クリップ３０と全く同様にして本体１０、キャップ２０の各先端に着脱自在に取り付けることができる。
【００３１】
以上の説明において、本体１０の上部材１１、下部材１２、キャップ２０、クリップ３０や、印判体５０のケース５２、ヒンジ５３、開閉蓋５４は、それぞれたとえばＡＢＳ樹脂のようなプラスチック材料により一体成形することが好ましい。また、本体１０、キャップ２０の具体的な形状は、たとえば本体１０内に収容する電子部品等の種類、形状、大きさなどにより、図示以外の任意の形状に変更することができる。さらに、クリップ３０、印判体５０も、本体１０、キャップ２０に対して簡単に装着し、取り外すことができる限り、本体１０、キャップ２０に対する連結構造を含む全体形状を任意に変更可能である。
【図面の簡単な説明】
【００３２】
【図１】全体構成説明図
【図２】本体、キャップの構成説明図
【図３】クリップの構成説明図
【図４】動作説明図（１）
【図５】動作説明図（２）
【図６】動作説明図（３）
【符号の説明】
【００３３】
１０…本体
２０…キャップ
３０…クリップ
５０…印判体
３２、６２…ガイド
３３、６３…支持部
３３ａ、６３ａ…ガイド面
３４…補助連結部
３５、６５…取付ロッド
４１…取付溝
４２…係合斜面
実用新案登録出願人      株式会社  アイ・オー・データ機器
代理人  弁理士                            松  田  忠  秋
【図１】
0003103416.tif 000003
【図２】
0003103416.tif 000004
【図３】
0003103416.tif 000005
【図４】
0003103416.tif 000006
【図５】
0003103416.tif 000007
【図６】
0003103416.tif 000008